(57)【特許請求の範囲】
【請求項１】
一対の対向する枠部材における対向面側の装着溝に遮視板の各端部を嵌装し、それらの各遮視板を上記枠部材に取り付けることにより構成する目隠しパネルにおいて、
上記一対の枠部材の対向面側に沿って延びる保持板に、長手方向に一定の非平面板状断面を有すると共に、内部に中空部を有する遮視板の端部を嵌挿する挿入孔を、該遮視板の外形の断面形状に相当するものとして開設し、
各遮視板の両端部でありかつ上記中空部を形成する平面部分には、該遮視板の長手方向中央部側が弾性的に切り起こした状態に形成されて、保持板の挿入孔に対する遮視板端部の挿入時には弾性的に没入するが、挿入後に切り起こし状態に復帰して先端が保持板内面側に係止する舌片を備え、
上記保持板への各遮視板の装着状態においては、当該遮視板が表裏方向に見通し不能に並列されるものとし、
上記対向する一対の枠部材を連結用枠材で連結することにより目隠しパネルのパネル枠を構成させ、
上記舌片の保持板内面側への係止を、該保持板外面側における遮視板の中空部を形成する表面の押圧による該表面の弾性的変形により解除可能とした、
ことを特徴とする目隠しパネル。
【請求項２】
上記保持板が、対向する枠部材のそれぞれと別体に形成され、該枠部材の対向面側に設けた係止溝に嵌入して該各枠部材に係止されている、
ことを特徴とする請求項１に記載の目隠しパネル。
【請求項３】
上記保持板が、対向する枠部材のそれぞれと一体に形成されている、
ことを特徴とする請求項１に記載の目隠しパネル。
【請求項４】
隣接する遮視板間は、目隠しパネルの表裏面方向には見通し不能であるが、遮視板の相互に隣接する側端は目隠しパネルの表裏面方向に離間し、隣接する遮視板間に通気間隙が形成されている、
ことを特徴とする請求項１から３のいずれかに記載の目隠しパネル。
【発明の詳細な説明】
【技術分野】
【０００１】
本発明は、窓や出入り口等の建物開口部や、建物廻りで人の視線を遮りたいところに設置するための目隠しパネルに関するものである。
【背景技術】
【０００２】
特許文献１等により知られている建物開口部の目隠しパネルでは、一対の対向する枠部材の対向面側に設けた取付溝に、遮視板の各端部を嵌挿して、それらの各遮視板をビスで枠部材に固定し、あるいは、上記遮視板の端部を枠材に重ねてビスやリベット等でそれらを固定している。このような構成は、各遮視板を上記枠部材にビスやリベット等で固定するために、目隠しパネルの全体的な強度を高めるために有効ではあるが、各遮視板と枠部材に予め設けた加工孔を合わせてそれにビスやリベットを挿入する作業に時間を要し、また、目隠しパネルを解体・修理する場合にも多数のビスやリベットを取り外す必要があって作業に時間を要するという問題がある。
【０００３】
更に、枠部材の対向面側の取付溝に遮視板の各端部を嵌挿して、それらの遮視板をビスやリベットで枠部材に固定する構造では、一部の目隠しパネルが破損した場合に、そのパネルだけを新しいものと交換するには、少なくとも、片側の枠部材と各遮視板との固定部分のビスやリベット等を全て取り外して破損した目隠しパネルを新しいものと交換し、再度各遮視板を上記枠部材に固定する必要があって、作業性に大きな負担があった。
【先行技術文献】
【特許文献】
【０００４】
【特許文献１】実公昭６０−９３５９号公報
【発明の概要】
【発明が解決しようとする課題】
【０００５】
本発明の技術的課題は、建物開口部等に設置する目隠しパネルを、各遮視板を枠部材に対してそれぞれビス等で固定することなく、簡単な手段で容易に組立及び分解するのを可能なものとして構成することにある。
本発明の他の技術的課題は、上記目隠しパネルの組立及び建物開口部等への設置には少数のビスやボルト等を使用するにしても、多数の遮視板の組み付けにはドライバーを含む工具の使用の必要性をなくした目隠しパネルを提供することにある。
【課題を解決するための手段】
【０００６】
上記課題を解決するため、本発明によれば、一対の対向する枠部材における対向面側の装着溝に遮視板の各端部を嵌装し、それらの各遮視板を上記枠部材に取り付けることにより構成する目隠しパネルにおいて、上記一対の枠部材の対向面側に沿って延びる保持板に、長手方向に一定の非平面板状断面を有すると共に、内部に中空部を有する遮視板の端部を嵌挿する挿入孔を、該遮視板の外形の断面形状に相当するものとして開設し、各遮視板の両端部でありかつ上記中空部を形成する平面部分には、該遮視板の長手方向中央部側が弾性的に切り起こした状態に形成されて、保持板の挿入孔に対する遮視板端部の挿入時には弾性的に没入するが、挿入後に切り起こし状態に復帰して先端が保持板内面側に係止する舌片を備え、上記保持板への各遮視板の装着状態においては、当該遮視板が表裏方向に見通し不能に並列されるものとし、上記対向する一対の枠部材を連結用枠材で連結することにより目隠しパネルのパネル枠を構成させ、上記舌片の保持板内面側への係止を、該保持板外面側における遮視板の中空部を形成する表面の押圧による該表面の弾性的変形により解除可能としたことを特徴とする目隠しパネルが提供される。
【０００７】
本発明に係る目隠しパネルの好ましい実施形態においては、上記保持板が、対向する枠部材のそれぞれと別体に形成されて、該枠部材の対向面側に設けた係止溝に嵌入して該各枠部材に係止され、あるいは、上記保持板が、対向する枠部材のそれぞれと一体に形成される。上記保持板が枠部材と別体に形成される実施形態において、目隠しパネルの組み立ては、各保持板に遮視板を取り付けた状態でそれらを枠部材の係止溝に嵌入すればよい。また、上記保持板が枠部材と別体に形成される実施形態、上記保持板が枠部材のそれぞれと一体に形成される実施形態のいずれにおいても、各遮視板の両端部に設けた舌片の保持板内面側への係止を、該保持板外面側における遮視板の中空部を形成する表面の押圧による該表面の弾性的変形により解除することができる。
【０００８】
上記いずれの実施形態においても、隣接する遮視板間は、目隠しパネルの表裏面方向には見通し不能であるが、遮視板の相互に隣接する側端は目隠しパネルの表裏面方向に離間し、隣接する遮視板間に通気間隙が形成される。
【発明の効果】
【０００９】
以上に詳述した本発明の建物開口部用目隠しパネルによれば、建物開口部等に設置する目隠しパネルを、各遮視板を枠部材に対してそれぞれビス等で固定することなく、簡単な手段で容易に組立及び分解するのを可能なものとして構成することができ、また、上記目隠しパネルの組立及び建物開口部等への設置には少数のビスやボルト等を使用するにしても、多数の遮視板の組み付けにはドライバーを含む工具の使用の必要性をなくした目隠しパネルを得ることができる。
【図面の簡単な説明】
【００１０】
【図１】本発明に係る目隠しパネルの第１実施例における組立状態を示す要部斜視図である。
【図２】上記第１実施例の図１の状態に続く組立状態を示す要部斜視図である。
【図３】（Ａ）は上記第１実施例の図１の状態における要部断面図、（Ｂ）は同図２の状態における要部断面図である。
【図４】本発明に係る目隠しパネルの第２実施例における組立状態を示す要部斜視図である。
【図５】上記第２実施例の図４の状態に続く組立状態を示す要部斜視図である。
【図６】（Ａ）は上記第２実施例の図４の状態における要部断面図、（Ｂ）は同図５の状態における要部断面図である。
【図７】本発明に係る第１実施例に係る目隠しパネルの組立状態の全体的構成を示す背面図である。
【図８】同縦断面図である。
【図９】同平断面図である。
【発明を実施するための形態】
【００１１】
図１〜図３は、本発明に係る目隠しパネルの第１実施例を示し、図４〜図６は、同第２実施例を示している。また、図７〜図９は、上記第１実施例に係る目隠しパネルの全体的な構成を示すものである。
これらの目隠しパネルは、窓や出入り口等の建物開口部、あるいは、建物廻りで人の視線を遮りたいところに設置するためものであって、上記第１実施例と第２実施例との構成上の主たる差異は、目隠しのための必要数の遮視板８の両端部を保持するために相互に平行に対向配置される一対の枠部材２（図２参照）または３（図４参照）が、上記遮視板８の各端部を保持する保持板７と別体であるか、あるいは、それらが一体に形成されているか、という点にある。そのため、第２実施例に係る目隠しパネルの全体的な構成は、図７〜図９と殆ど差違がないので図示を省略している。
【００１２】
まず、図１〜図３を参照して第１実施例の目隠しパネルについて説明すると、この第１実施例のパネル枠１（図７〜図９参照）は、必要数の遮視板８の両端部８ａを保持するために相互に平行に対向配置される左右一対の枠部材２と、該一対の枠部材２の上下端を相互に連結して枠状に形成する連結用枠材４と、該連結用枠材４の両端部に被着されるキャップ５とを備えている。そして、上記一対の対向する枠部材２は、図２及び図３から分かるように、それぞれが枠本体６と保持板７によって構成され、更に具体的には、一対の枠本体６の互いに対向する面側に上記遮視板８の各側端部を嵌装する装着溝６ａを開口させて、該装着溝６ａの口部に、枠本体６とは別体の上記保持板７を嵌入係止させるための係止溝９を対向配設し、該係止溝９に保持板７を側縁を嵌入係止させて、それを枠本体６に取り付けることにより、枠部材２を構成している。
【００１３】
上記一対の枠部材２の対向面側に沿って延びる保持板７には、遮視板８の端部を嵌挿するための該遮視板８の断面形状に相当する挿入孔７ａの必要数を開設している。上記遮視板８は、その多数を保持板７へ装着した状態においては、隣接する遮視板８間を、目隠しパネルの表裏方向の見通しを不能にしするように、側端が相互に若干重なるように並列され、また、遮視板８の相互に隣接する側端は目隠しパネルの表裏面方向に離間し、隣接する遮視板８間に通気間隙１０が形成されるようにするため、保持板７に開設される挿入孔７ａは、図１に例示するような配列が望まれる。このような挿入孔７ａが開設された保持板７を用いると、その挿入孔７ａに遮視板８の端部８ａを挿入するだけで、該遮視板８を所定の配列状態に取り付けることができる。
【００１４】
上記遮視板８は、一般的に、光透過性を有する合成樹脂により成形されるが、光を散乱させる素材や形状などで、それを通して先方を透視できないものとして構成され、その多数を上述したように配列するが、更に、あらゆる方向から上記通気間隙１０を通して目隠しパネルの表裏面側を見通しできないようにするため、平面的なものとするのではなく、図２や図８等から分かるように、目隠しパネルの反対側を目視できないようにする非平面板状断面を有するものとするのがより望ましく、上述した挿入孔７ａが開設されている保持板７を用いると、そのような複雑形状の遮視板８の適切な配列を容易に設定することができる。
【００１５】
上記各遮視板８の両端部を保持板７の挿入孔７ａに挿入して固定するため、該遮視板８の両端部には、該遮視板８の長手方向中央部側が弾性的に切り起こした状態に形成された舌片８ｂを備えている。この舌片８ｂは、保持板７の挿入孔７ａに対する遮視板８端部の挿入時には該遮視板８内に弾性的に没入するが、挿入後には切り起こし状態に弾性復帰して、先端が保持板７の内面側に係止するように、該遮視板８に一体に形成したものであるが、別体のものを付設してもよい。なお、図では遮視板８の一面側のみに上記舌片８ｂを設けた例を示しているが、例えば、遮視板８の表裏面にも設けるなど、その任意数を設けることができる。
【００１６】
上記構成を有する目隠しパネルを組み立てるに際しては、まず、図１及び図２に示すように、一対の保持板７の各挿入孔７ａに遮視板８の両端をそれぞれ舌片８ｂの先端が保持板７を超えるまで挿入し、その状態で、図２に示すように、一対の枠部材２の一端から各係止溝９に保持板７の側端縁を嵌入すれば、一対の枠部材２に保持板７を介して必要数の遮視板８を所要の配列状態で組み付けた状態にすることができる。次いで、図７〜図９に示すように、上記一対の枠部材２の上下端を連結用枠材４で相互に連結して枠状に形成し、該連結用枠材４の両端部にキャップ５を被着することにより、目隠しパネルの組み立てを完了することができる。
【００１７】
また、上記目隠しパネルの解体は、枠部材２の上下端を連結する連結用枠材４を取り外したうえで、枠部材２の係止溝９から保持板７を抜き出し、その後、遮視板８の舌片８ｂを押圧して、該舌片８ｂを遮視板８の表面から突出しない状態にしながら該遮視板８を保持板７の挿入孔７ａから抜き出すことにより、特別の工具等を用いることなく部品の全てを分離することができる。上記目隠しパネルを破損した遮視板８の交換等のために解体する場合には、上述した場合と同様にして枠部材２の係止溝９から保持板７を抜き出すが、その後、破損した遮視板８のみを、その舌片８ｂを押圧しながら保持板７の挿入孔７ａから抜き出し、それを新しいものと交換して再度組み立てることにより、全体的な解体を行うことなく補修することができる。
【００１８】
次に、図４〜図６を参照して本発明の第２実施例について説明するが、ここでは、主として、上記第１実施例と相違する部分について説明し、第１実施例と共通する部分については、図中に第１実施例と同じ符号を付してそれらの説明を省略する。
この第２実施例のパネル枠１では、前述したように、必要数の遮視板８の両端部８ａを保持する上記第１実施例と同様の保持板７が、対向配置される左右一対の枠部材３と一体に形成され、該一対の枠部材３の上下端を連結用枠材４で相互に連結して枠状に形成し、該連結用枠材４の両端部にキャップ５を被着している。一対の枠部材３における保持板７に上記遮視板８の必要数を取り付ける挿入孔７ａを開設しているのは勿論であり、遮視板８自体の形態も、舌片８ｂの構成を含めて、第１実施例において説明したものと同様である。
【００１９】
また、この第２実施例では、上述したように保持板７を枠部材３と一体に形成しているため、その目隠しパネルを組み立てるに際しては、図４及び図５に示すように、第１実施例の場合と同様にして、一対の保持板７の各挿入孔７ａに遮視板８の両端をそれぞれ舌片８ｂの先端が保持板７を超えるまで挿入すれば、一対の枠部材３間に必要数の遮視板８を所要の配列状態で組み付けた状態にすることができる。しかしながら、目隠しパネルの解体に際しては、保持板７を枠部材３と一体に形成している関係で、舌片８ｂが保持板７の内側に位置し、第１実施例の場合と同様に、遮視板８の舌片８ｂを押圧して該遮視板８を保持板７の挿入孔７ａから抜き出すことができない。
【００２０】
そこで、この第２実施例においては、各遮視板８の両端部８ａに設けた舌片８ｂの保持板７内面側への係止を、枠部材３に設けた孔１２を通しての適宜棒材Ａによる舌片８ｂの直接的な押圧により解除可能に形成している。上記棒材Ａとしては、特別の工具を準備する必要はなく、例えば、釘やドライバーなど、手近にある棒状の部材を適宜利用することができる。
なお、上記孔１２を枠部材３の外側表面に開設するのは必ずしも望ましいことではないので、図示の第２実施例では、該孔１２を、第１実施例の場合とは逆に、枠部材３をサッシや支持柱等に取り付ける取付面側に開設し、そのため、各遮視板８の舌片８ｂを、枠部材３の上記孔１２を設けた取付面側に向けて保持板７の挿入孔７ａに係止している。
【００２１】
また、上記孔１２を用いて舌片８ｂの係止を解除する手段に代えて、保持板７の挿入孔７ａの外側における遮視板８表面を指等で押圧することにより、該表面が弾性的に変形して、上記舌片８ｂが遮視板８の表面から突出しない状態になるように該遮視板８を形成しておくこともでき、このように形成すれば、上記孔１２を設ける必要はない。
上述したように構成すれば、上記孔１２を通しての棒材Ａによる舌片８ｂの押圧や、保持板７の挿入孔７ａの外側における遮視板８表面の指等による押圧で、上記舌片８ｂを遮視板８の表面から突出しない状態にしながら、該遮視板８を保持板７の挿入孔７ａから抜き出すことにより、特別の工具等を用いることなく遮視板８を枠部材３から分離することができる。
上記第２実施例のその他の構成及び作用は、実質的に第１実施例の場合と変わるところがない。
【符号の説明】
【００２２】
１      パネル枠
２，３    枠部材
４      連結用枠材
６ａ    装着溝
７      保持板
７ａ    挿入孔
８      遮視板
８ａ    端部
８ｂ    舌片
９      係止溝
１０      通気間隙
１２      孔
【図１】
0005675375.tif 000002
【図２】
0005675375.tif 000003
【図３】
0005675375.tif 000004
【図４】
0005675375.tif 000005
【図５】
0005675375.tif 000006
【図６】
0005675375.tif 000007
【図７】
0005675375.tif 000008
【図８】
0005675375.tif 000009
【図９】
0005675375.tif 000010